(57)【要約】【課題】鉢植え植物を他の鉢に移し替える際、植物を傷めることなく容易に鉢から取り出すことができ、既存の植木鉢にも柔軟に対応できる植木鉢用移植シートを提供する。【解決手段】移植シート１の中央部両サイドに切り抜き部２と、両端部に抜き孔３と、中心部に複数の小径の水抜き孔４を設け、切り抜き部２の曲折部２ｃの曲折により、円弧部２ａと、２ｂが植木鉢５の底部５ａと、内周部５ｂに沿って触接して敷設でき、植栽が可能となる。  移植時は、抜き孔３の持ち手部３ａを持って引き上げることにより、植栽された植物６を土７ごと植木鉢５から取り出すことができる。持ち手部３ａは、支え部３ｂを折畳んで内周部５ｂの上部の土の中に埋設すれば美観を損なうこともない。【選択図】図１
2011188793.tif 000002
【特許請求の範囲】
【請求項１】
一定の幅を有するシートの長手方向の中央部両サイドに植木鉢の底と内周下部の面に沿って、曲折が可能になる切り抜きを設けたことを特徴とする植木鉢用移植シート。
【請求項２】
前記シートの長手方向の両端部に抜き孔を設けたことを特徴とする請求項１に記載の植木鉢用移植シート。
【請求項３】
前記シートの中心部に複数の小孔を設けたことを特徴とする請求項１に記載の植木鉢用移植シート。
【発明の詳細な説明】
【技術分野】
【０００１】
本発明は、菊、サボテン等の植木鉢用植物の植替えに用いるシートに関する。  
【背景技術】
【０００２】
従来、観賞用の植物、苗木などの植木鉢は円筒形で土を焼き固めた素焼きの鉢を代表として、その他、陶磁器製、プラスチック製等があり、長期間植え付けされていた植物の根は、土に絡んで植木鉢一杯に張り詰め密着している為、植替えに際し、植木鉢より植物を取り出すときは、金ヘラ等で土に絡んで張り詰めて密着している根を植木鉢の内周面より分離させてから指を入れ、土と根を掴んで無理をした状態の取出しとなり、植物を傷めたり、時には植木鉢を割ることもあって、力と手間がかかる困難を要する作業であった。  
【０００３】
そこでこの問題を解決するため以下の提案がなされている。
例えば、特許文献１には、植木鉢の底部の水切り孔の上部に回り縁が設けられ、笠状に形成された物体が設置されて植栽され、取り出す時は植木鉢の底部の水切り孔から、笠状に形成された物体を押し上げる構造が記載されている。
【０００４】
特許文献２には、植木鉢の底に置くネット袋体に、発泡スチロールの小片や、軽石、小石を入れ、該袋体に紐体を取付け、該紐体を植木鉢の外に出しておき、移植の際に紐体を引いて植木鉢の底に置かれたネット袋体で、土ごと植物を取り出すことができる構造が記されている。
【０００５】
特許文献３には、樹脂成形による帯状板枠と底板とピンの構成からなり、帯状板枠と底板を組立てピンで固定して植木鉢が形成され植栽が可能となる。植栽された植物を植木鉢より取り出す際はピンを抜き、帯状板枠を外す構造が記載されている。
【０００６】
特許文献４には、植木鉢底部に環状の段部を設け、円形の台板を上部から入れる方法と、その他に、円板が基板の外周近傍に薄鋼板製の弾力板１２枚を均等配分して固着し、該弾力板に支板を固着して、植木鉢の内周面に触接させ、土と植物の張り詰めた根が植木鉢への密着を防ぎ、植物を取り出す時は植木鉢の底から、手、又は、器具で押し上げる方法が記載されている。
【先行技術文献】
【特許文献】
【０００７】
【特許文献１】実登第３００８０５７号
【特許文献２】実登第３０７６９５９号
【特許文献３】特開２００１−８５５２（Ｐ２００１−８５５２A）
【特許文献４】特開２００６−１５８３７０（Ｐ２００６−１５８３７０Ａ）
【発明の概要】
【発明が解決しようとする課題】
【０００８】
特許文献１に開示されている方法においては、植木鉢より植物を取り出す目的は十分に達成されるが、新たに植木鉢本体と笠状の形成品を製作する必要があり、既存の植木鉢に適用することが困難であり、植木鉢も、笠状の部品も特殊となり製造コストのアップが考えられる。
【０００９】
特許文献２は、ネット袋体の製作と、発泡スチロールの小片や、軽石、小石を入れる手間が発生し、コストアップが考えられる。さらに、土と絡んで張り詰めた植物の根が植木鉢の内周全面に密着し、紐体では土ごと植物を引き上げる困難さがある。又、紐体は、細く、植栽された土の外周部の支えが不安定となり取出し時に植物を転倒させる恐れがある。さらに、植木鉢の外へ紐体を出した場合は美観を損ね、土中に入れた場合は土と植物の根に紛れ、移植時に探し出し難いという問題が発生しやすい。  
【００１０】
特許文献３は、植栽された植物を取り出す目的には非常に優れており、労力がかからないが、特許文献１と同様既存の植木鉢に適用することが出来ない。又、植木鉢の形状から見てコストアップが考えられる。
【００１１】
特許文献４は、１２枚が均等配分された弾力板に固着された支板が植木鉢の内周面に触接し、植木鉢の内周部に土と絡んで張りつめた植物の根の密着を防ぎ、土ごと植物を取り出しやすくしているが、薄鋼板製の弾力板と支板に材料費と製造費がかかりコストアップが考えられる。さらに、形が決められるので既存の植木鉢に柔軟に対応することが困難である。            
【００１２】
そこで、本発明が解決しようとする課題は、既存の植木鉢の底と内周部に馴染んで敷設でき、該敷設も簡単で、植栽された植物の幹、茎、根等を傷めることなく、移植シートの両端の持ち手部を手で持上げることにより、植木鉢より容易に取り出すことができ、植栽時に植木鉢より上にとび出す持ち手部分は折り返して鉢の内周上部の土の中に入れ、目立たなくすることで、美観を全く損なうことが無い。さらに、形状をシンプルにして、安価に製造できる植木鉢用移植シートを提供することにある。
【課題を解決するための手段】
【００１３】
前記目的を達成するための移植シートは、柔軟性があり、一定の幅を有するシートで長手方向の中央部両サイドに、植木鉢の底と内周下部に沿う切り抜き部を設け、該切り抜き部の曲折により、円形の植木鉢において該植木鉢の底部と、内周部の面に沿って触接し、敷設を可能にしたことを要旨とする。
【００１４】
前記移植シートの両端部に設けた抜き孔の両端が持ち手部となり、該持ち手部を両手で持ち、土ごと植物を持上げることができ、該持ち手部は折畳んで、植木鉢の内周上部に沿わせて触接させ、敷設できることを要旨とする。
【００１５】
前記シートの中心部に、移植時に土の落下が防止できて水抜きが可能な、小さな抜き孔を多数設けることにより、植木鉢本体の水抜き孔への土の落下防止処理を不要にしたことを要旨とする。
【発明の効果】
【００１６】
本発明の植木鉢用移植シートは柔軟性があり、切り抜き部の形状により、既存の種々のサイズの植木鉢に使用可能で、当該移植シートを鉢内に敷設する際、中央部両サイドの切り抜き部の曲折により、植木鉢の底と内周部に沿って触接して敷設でき、土と植物の入れ易さを損なうことなく植栽でき、移植シートが土と絡んで張り詰めた植物の根と植木鉢の接触を防ぎ、植物が取り出し易くなる。移植時は当該移植シートを両手で持ち上げることにより、植物の幹、茎、根等を傷めることなく植木鉢より取り出せ、移植作業が容易になる。又、場所をとらず簡単に保管でき、再利用も可能である。
【００１７】
材料がシートで柔軟性があり、持ち手部は折り曲げて植木鉢の内周上部に沿わせて触接し、土の中に入れることにより、植栽完了後の美観を損なうことは全く無い。材料がシートで幅があるので土の中から探し出しやすく、さらに、形状がシンプルでシート加工が容易で、安価に製造できる。
【００１８】
移植シートの中心部に多数の小さな貫通孔を設けたことにより、水抜きが可能で、土の落下は防止ができるので、植栽時の作業性が向上する。
【図面の簡単な説明】
【００１９】
【図１】本発明の移植シートの敷設状態を示す全体斜視図
【図２】本発明の植木鉢用移植シートの正面図。
【図３】本発明による植木鉢への植栽状態を示す縦断面説明図
【発明を実施するための形態】
【００２０】
以下に、本発明の実施形態について図1から図３により詳細に説明する。図1は、本発明の移植シート１を植木鉢５の底部５ａと、内周部５ｂに敷設した状態を示す全体斜視図である。図２は、移植シート１の正面図で、本発明品の全体を示している。移植シート1は、短冊状のシートで、中央部の両サイドの切り抜き部２と、両端部の抜き孔３と、中心部に複数の水抜き孔４からなる。図３は植栽状態を示し、抜き孔３の支え部３ｂを折り曲げて持ち手部３ａと合わせて、植木鉢５の内周部５ｂの上部に沿わせて土の中に入れた状態を示している。
【００２１】
図１と図２に示す、移植シート１の両サイドの切り抜き部２は円弧部２ａ、２ｂ、と曲折部２ｃからなり、円弧部２ａは植木鉢５の底部５ａの内周円に合うサイズが望ましいが、図１に示すように、若干小さくてもよい。この場合、サイズの小さい植木鉢にも対応可能となり、移植シート１は、色々な植木鉢に柔軟に対応することができる。従って、円弧部２ａは、多角形であっても植木鉢５の底部５ａに敷設することができればよい。但し、円弧部２ａが小さくなりすぎた場合は、植栽された植物を取り出す時不安定となるので、曲折部２ｃと対向する曲折部２ｃ間のシート幅より大きいサイズであればよい。
【００２２】
円弧部２ｂは図1に示すように、曲折部２ｃが屈設された時点で、植木鉢５の内周部５ｂに沿って触接できればよい、従って、円弧部２ａと一定の幅を持った円弧状が望ましいが、円弧部２ｂの形状は直線であっても特に問題はなく、植木鉢５の内周部５ｂに沿って触接でき、土と絡んで張りつめた植物の根と内周部５ｂの密着を防ぐことができればよい。
【００２３】
図１と図２に示す、曲折部２ｃと対向する曲折部２ｃ間のシート幅は、狭い方が植木鉢５の底部５ａと内周部５ｂの下部に馴染んで沿わせ易いが、移植時に、土７と植物６を持ち上げた時の安定が悪くなる。当然強度も落ちる。従って、移植シート１の幅の約３分の１が望ましい、この幅であれば、土を入れることにより、植木鉢５の底部５ａと内周部５ｂの下部に曲折部２ｃが馴染んで触接が可能となる、しかし、多少の寸法変化は問題なく、シートサイズ、植木鉢のサイズ、形状により、種々変更は可能である。例えば、６角形の植木鉢であれば、６角形の１辺に合わせればよいので移植シート１に対し、曲折部２ｃと対向する曲折部２ｃ間のシート幅は当然大きくなる。
【００２４】
曲折部２ｃは、植木鉢５の底部５ａと内周部５ｂの下部が交わる隅に屈設する部分で、寸法の長短は自由に設定可能である。即ち曲折部２ｃが長ければ、植木鉢５の底部５ａが若干大きくなっても屈設が可能となり使用できる。この場合は、移植シート１のサイズと、植木鉢５の深さが関係するので、制限はあるものの、植木鉢５の種々のサイズに柔軟に対応することが可能である。尚、曲折部２ｃは、直線でも、円弧状であっても屈設が可能であれば、この部分の形状は特にこだわる必要は無い。
【００２５】
図１と図２に示す抜き孔３は、持ち手部３ａと支え部３ｂと円弧部３ｃからなり、それぞれの繋がり部は図２に示す円形であることが望ましい。移植シート１が破損する恐れが無い場合は角で繋がっても特に問題は無い。
【００２６】
図２に示す、持ち手部３ａの長さは移植時に抜き孔３に手をいれて持てればよい。支え部３ｂは、直線状態で、幅は、持ち手部３ａと同一か若干細くてもよいが双方とも移植シート１を持上げる際の強度に耐える幅であればよい。円弧部３ｃは植木鉢５の内周部５ｂの内周面に凹凸がある場合に、移植シート１を持上げる際、有効であるが、通常は特に問題は無いので直線でもよい。この場合は、抜き孔３は角孔、又は長孔となる。
【００２７】
図１と図２に示す、水抜き孔４は、移植シート１の中心部で図３に示す植木鉢５の水抜き穴５ｄの上に敷設し、水抜き穴５ｄからの土の落下防止が目的である為、土が孔から下にこぼれ難い程度の小径の孔で、水抜きが十分にできるだけの数量を有し、形状は円形、楕円、角孔、長穴等のいずれであってもよい。
【００２８】
図２に示す、移植シート１の材料は、合成樹脂、綿、ゴム等で、フィルム状、布地、不織布等に加工したもの、及び、布地、不織布等にコーティングしたもの等で柔軟性があり、移植時に植栽された植物を持上げることができる十分な強度と耐候性を有することが必要である。
【００２９】
移植シート１の全長は、植木鉢５に移植シート１をセットした状態で、持ち手部３ａが植木鉢５の外周上端部５ｃより上部に出て、指が入る長さが必要である。移植シート１の全長と支え部３ｂのバランスを取りながら長くすることにより、色々なサイズの植木鉢に対応可能となる。
【００３０】
移植シート１の幅は、土と絡んで張り詰めた植物の根と内周部５ｂの密着を防ぐ目的から広いほうが望ましいが、材料のコストが関係するので、植木鉢５の底部５ａの直径より若干大きければよい。若干小さくなっても特に問題は無い。植木鉢５の形状によって決めればよい。又、移植シート１は必ずしも短冊状でなくてもよく、植木鉢の形状、大きさによって、変化は可能で、例えば、植木鉢５が小さい場合は持ち手部３ａの幅が円弧部２ａと対向する２ａの幅より大きくなるので中央部分は狭くなり、植木鉢５が大きい場合はその逆で、中央部分が膨らんだ状態でもよい。
【００３１】
本発明の移植シート１の使用方法は、図１に示す、植栽をしようとする植木鉢５の底部５ａに移植シート１の水抜き穴４と、植木鉢５の水抜き穴５ｄの中心を合わせ、敷設することにより、曲折部２ｃが曲折し、移植シート１全体が内周部５ｂに沿って触接し、支え部３ｂが外周上端部５ｃの外側へ湾曲して垂れ下がる。若干硬さのあるフィルム状のシートの場合は垂れ下がらないで、外周上端部５ｃの外側の上方に立った状態の場合もある。上記どちらの場合でも土７は入れ易い。
【００３２】
植栽時土７を約半分ほど入れた時点で、図３に示す、支え部３ｂを折りたたみ、持ち手部３ａと合わせて、植木鉢５の内周部５ｂの上部に持ち手部３ａを沿わせて触接し、土７の表面に出ない位置にセットした後、土７を入れながら植物６を植栽する。これにより、支え部３ｂと持ち手部３ａは土の中に埋設されて、移植シート１は外部から見えなくなり、美観を損なうことは全く無い。
【００３３】
上記植物６を移植する場合は、植木鉢５の内周部５ｂに沿わせて土７の表面部分に入れてあった持ち手部３ａと、支え部３ｂを土７から出す。持ち手部３ａはシートであるから土７の中に入っていても植物の根が張った時の移動量も少なく探し出し易い。
【００３４】
植木鉢５から植物６を取り出すときは、植木鉢５を足で支え、持ち手部３ａを持って前後左右に動かし、土７と絡んで張り詰めた植物６の根を植木鉢５の内周部５ｂから分離させながら、引き上げることにより、移植シート１が土７ごと植物６を持上げ、支え部３ｂが両サイドから土７と植物６を支えて安定させ、植物６の幹、茎、根等を傷めること無く植木鉢５から土７ごと植物６を取り出すことができる。移植後の移植シート１は、土７を払い落とせば、そのまま場所をとらず簡単に保管でき、再利用も可能である。  
【００３５】
以上、植木鉢用移植シートについて説明したが、発明の趣旨を逸脱しない範囲で種々の改変は可能である。  
【符号の説明】
【００３６】
１     移植シート          
２     切り抜き部            
２ａ   円弧部
２ｂ   円弧部
２ｃ   曲折部
３     抜き孔
３ａ   持ち手部
３ｂ   支え部
３ｃ   円弧部
４     水抜き孔        
５     植木鉢
５ａ   底部
５ｂ   内周部    
５ｃ   外周上端部
５ｄ   水抜き孔
６     植物  
７     土  
【図１】
2011188793.tif 000003
【図２】
2011188793.tif 000004
【図３】
2011188793.tif 000005